(57)【要約】【課題】例えば天井裏に存在するダクト又は梁等の障害物に点灯装置が衝突して移動を遮られたまま押し込まれても、灯具及び取付ばねに作用する応力を抑制でき、灯具を安定させて取り付けることができる照明器具を提供する。【解決手段】光を照射する灯具と、灯具を保持する枠部材と、板材を湾曲させて形成され、枠部材に取り付けられて外方へ向かって突き出す取付ばねと、灯具に電力を供給する点灯装置と、弾性を有する帯状の板材から成り、一端が取付ばねに連結され、他端が点灯装置に連結された支持板と、を備えている。支持板は、取付ばねよりもばね定数が小さい構成とされ、取付ばねよりも大きく撓むものである。【選択図】図１
2020061215.tif 000002
【特許請求の範囲】
【請求項１】
光を照射する灯具と、
前記灯具を保持する枠部材と、
板材を湾曲させて形成され、前記枠部材に取り付けられて外方へ向かって突き出す取付ばねと、
前記灯具に電力を供給する点灯装置と、
弾性を有する帯状の板材から成り、一端が前記取付ばねに連結され、他端が前記点灯装置に連結された支持板と、を備え、
前記支持板は、前記取付ばねよりもばね定数が小さい構成とされ、前記取付ばねよりも大きく撓むものである、照明器具。
【請求項２】
前記支持板は、前記取付ばねよりも板厚が薄い構成である、請求項１に記載の照明器具。
【請求項３】
前記支持板と前記取付ばねとは、異なる材質で構成されている、請求項１又は２に記載の照明器具。
【請求項４】
前記取付ばね及び前記点灯装置のうち少なくとも一方が、前記支持板に回動自在に連結されている、請求項１〜３のいずれか一項に記載の照明器具。
【請求項５】
前記点灯装置から前記灯具に電力を供給するための電線を有しており、
前記電線は、前記支持板の上面に載置され、固定部材で固定されている、請求項１〜４のいずれか一項に記載の照明器具。
【発明の詳細な説明】
【技術分野】
【０００１】
本発明は、天井等の被取付部に取り付けられる照明器具に関するものである。
【背景技術】
【０００２】
従来、天井等に形成された埋込穴に挿入される照明器具が知られている。例えば特許文献１には、ダウンライトから成る照明器具が開示されている。この照明器具は、光を照射する灯具と、灯具を保持する枠部と、枠部に取り付けられて外方へ向かって突き出す取付ばねと、灯具に電力を供給する点灯装置と、枠部と点灯装置とを連結する点灯装置固定部材と、を備えた構成である。点灯装置固定部材は、弾性を有する板材から成る点灯装置支持部と、枠部に取り付けられる点灯装置挿込部と、で構成されている。枠部は、取付ばねが取り付けられた第１の枠部と、灯具を保持する第２の枠部と、で構成されている。第１の枠部には、点灯装置固定部材の点灯装置挿込部を取り付けるための溝部が形成されている。
【０００３】
この照明器具を例えば天井に設置するには、点灯装置を天井に形成された埋込穴から挿入し天井裏に押し込んで設置した後、当該埋込穴に灯具を嵌め込んで固定することにより行われる。
【先行技術文献】
【特許文献】
【０００４】
【特許文献１】特開２０１７−１５７５２２号公報
【発明の概要】
【発明が解決しようとする課題】
【０００５】
特許文献１の照明器具では、点灯装置挿込部を取り付けるための溝部を第１の枠部の側面に形成しなければならず、更に当該溝部に適合させる点灯装置挿込部を、板状の点灯装置支持部に取り付ける必要があるので、構造が複雑となる。一方で、取付ばねと点灯装置とを点灯装置固定部材で連結して簡易な構造とすることも考えられる。しかし、照明器具を天井等に設置する場合において、天井裏に存在するダクト又は梁等の障害物に点灯装置が衝突して移動を遮られたまま押し込まれると、点灯装置固定部材を介して灯具及び取付ばねに応力が作用するので、灯具の取付状態が不安定になるおそれがある。
【０００６】
本発明は、上記のような課題を解決するためになされたもので、例えば天井裏に存在するダクト又は梁等の障害物に点灯装置が衝突して移動を遮られたまま押し込まれても、灯具及び取付ばねに作用する応力を抑制でき、灯具を安定させて取り付けることができる照明器具を提供する。
【課題を解決するための手段】
【０００７】
本発明に係る照明器具は、光を照射する灯具と、前記灯具を保持する枠部材と、板材を湾曲させて形成され、前記枠部材に取り付けられて外方へ向かって突き出す取付ばねと、前記灯具に電力を供給する点灯装置と、弾性を有する帯状の板材から成り、一端が前記取付ばねに連結され、他端が前記点灯装置に連結された支持板と、を備え、前記支持板は、前記取付ばねよりもばね定数が小さい構成とされ、前記取付ばねよりも大きく撓むものである。
【発明の効果】
【０００８】
本発明の照明器具によれば、点灯装置を天井等に形成された埋込穴から挿入し、天井裏に押し込んで設置する場合に、天井裏に存在するダクト又は梁等の障害物に点灯装置が衝突して移動が遮られたまま押し込まれても、支持板が取付ばねよりも大きく撓むので、灯具及び取付ばねに作用する応力を抑制でき、灯具を安定させて取り付けることができる。
【図面の簡単な説明】
【０００９】
【図１】本発明の実施の形態に係る照明器具を示した斜視図である。
【図２】本発明の実施の形態に係る照明器具を天井に取り付けた状態を示した説明図である。
【図３】本発明の実施の形態に係る照明器具であって灯具を省略して示した分解斜視図である。
【図４】本発明の実施の形態に係る照明器具の灯具を示した分解斜視図である。
【図５】本発明の実施の形態に係る照明器具の支持板を回動させた状態を示した平面図である。
【図６】本発明の実施の形態に係る照明器具の支持板を回動させた異なる状態を示した平面図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態．
図１は、本発明の実施の形態に係る照明器具を示した斜視図である。図２は、本発明の実施の形態に係る照明器具を天井に取り付けた状態を示した説明図である。図３は、本発明の実施の形態に係る照明器具であって灯具を省略して示した分解斜視図である。図４は、本発明の実施の形態に係る照明器具の灯具を示した分解斜視図である。図１〜図３に示すように、照明器具１００は、灯具１と、枠部材２と、取付ばね３と、点灯装置４と、支持板８と、を備えている。照明器具１００は、図２に示すように、例えば天井２００等の被取付部に形成された埋込穴２１０に挿入されるダウンライト又はユニバーサルダウンライトである。この照明器具１００を天井２００に設置するには、点灯装置４を埋込穴２１０から挿入し天井裏に押し込んで設置した後、埋込穴２１０に灯具１を嵌め込んで固定することにより行われる。
【００１２】
灯具１は、室内に光を照射するものである。灯具１は、図４に示すように、光源ユニット１０と、配光制御部１１と、光源ホルダ１２と、ヒートシンク１３と、を有している。
【００１３】
光源ユニット１０は、発光基板１０ａと、ソケット１０ｂと、を有している。発光基板１０ａは、発光素子が実装された基板である。発光素子は、例えばＣＯＢ（Ｃｈｉｐ  Ｏｎ  Ｂｏａｒｄ）−ＬＥＤである。ソケット１０ｂは、発光基板１０ａを電気的及び機械的に保持して接続するものである。
【００１４】
配光制御部１１は、照射側に向かって拡がる円筒状のレンズで構成され、内部に配置した光源ユニット１０を覆うものである。配光制御部１１は、発光基板１０ａから出射された光が目標の方向に照射されるように配光を制御する。配光制御部１１の照射側の開口縁には、外側に向かって突出するフランジ部１１ａが設けられている。
【００１５】
光源ホルダ１２は、光源ユニット１０と配光制御部１１の周囲を覆って保持する円筒状の部材である。光源ホルダ１２は、照射側に向かって拡がる円筒状のホルダ本体部１２０と、ホルダ本体部１２０の開口端部に取り付けられる円筒状のホルダ枠部１２１と、を有している。
【００１６】
ホルダ本体部１２０は、照射側の端面に開口を有し、上面が蓋部１２０ａによって塞がれている。蓋部１２０ａには、発光基板１０ａに電源を供給するための電線（図示省略）を通す電線孔１２０ｂが形成されている。ホルダ本体部１２０の側面には、内側に凹ませた溝部１２０ｃが、開口縁に沿って形成されている。溝部１２０ｃは、ホルダ枠部１２１の内側に嵌め込まれる部分である。溝部１２０ｃには、ホルダ枠部１２１を位置決めするための係止凹部１２０ｄが、周方向に間隔をあけて３つ形成されている。また、ホルダ本体部１２０の側面には、灯具１に枠部材２を取り付ける際にネジ等の連結部材２１ａで連結するためのホルダ連結部１２０ｅが設けられている。灯具１に枠部材２を取り付ける際には、ホルダ連結部１２０ｅの角度を調整することで照射方向を調整することができる。
【００１７】
ホルダ枠部１２１は、両端面に開口を有しており、上部の開口から配光制御部１１の下端部とホルダ本体部１２０の溝部１２０ｃが挿入される。ホルダ枠部１２１の内周面には、内方に突出する環状のホルダ枠側受部１２１ａが設けられている。ホルダ枠部１２１に挿入された配光制御部１１は、フランジ部１１ａがホルダ枠側受部１２１ａに突き当たって位置決めされる。また、ホルダ枠部１２１に挿入されたホルダ本体部１２０の溝部１２０ｃは、配光制御部１１のフランジ部１１ａの上面に開口縁が突き当たって位置決めされる。つまり、配光制御部１１は、ホルダ枠側受部１２１ａとホルダ本体部１２０の開口縁とにフランジ部１１ａが挟持されることによって、光源ホルダ１２に保持されている。
【００１８】
また、ホルダ枠部１２１の内周面には、内側に突出するホルダ枠凸部１２１ｂが、ホルダ本体部１２０の係止凹部１２０ｄに対応する位置に設けられている。ホルダ枠凸部１２１ｂは、ホルダ本体部１２０の溝部１２０ｃがホルダ枠部１２１に挿入されると、係止凹部１２０ｄに嵌め込まれて係合する。
【００１９】
ヒートシンク１３は、光源ユニット１０から発生する熱を放熱する複数のフィン１３ａを有している。ヒートシンク１３は、光源ホルダ１２の蓋部１２０ａの上面に着脱自在に取り付けられている。
【００２０】
枠部材２は、図１〜図３に示すように、取付ばね３が取り付けられた第１枠部材２０と、灯具１を首振り自在に保持する第２枠部材２１と、で構成されている。第１枠部材２０は、円筒状を成し、照射側の開口縁に沿って外方へ突き出す環状のフランジ部２０ａが形成されている。フランジ部２０ａは、灯具１が埋込穴２１０に挿入された状態で天井２００の下面に当接し、埋込穴２１０の縁部を覆うものである。また、第１枠部材２０の側面には、取付ばね３の一端を嵌め込んで固定するための取付溝２０ｂが形成されている。取付溝２０ｂは、周方向に間隔をあけて３つ形成されている。
【００２１】
第２枠部材２１は、図１に示すように、円筒状を成し、第１枠部材２０の上部に、回転自在に取り付けられている。第２枠部材２１には、ネジ等の連結部材２１ａによって光源ホルダ１２のホルダ本体部１２０に連結されている。
【００２２】
取付ばね３は、図１〜図３に示すように、一例としてステンレスであり、帯状の板材を湾曲させて形成した構成である。取付ばね３は、基端部が第１枠部材２０の取付溝２０ｂに取り付けられ、先端部が外方に向かって突き出している。取付ばね３は、図示例の場合、第１枠部材２０の周方向に間隔をあけて３個取り付けられており、そのうちの一つが支持板８に連結されている。取付ばね３の先端部には、支持板８に連結するための連結孔３ａが形成されている。取付ばね３は、第１枠部材２０のフランジ部２０ａと共に天井２００を挟持し、且つ埋込穴２１０の内周面に当接することによって、照明器具１００を天井２００に固定するものである。
【００２３】
点灯装置４は、光源ユニット１０の発光基板１０ａの発光部に電源を供給するものである。点灯装置４は、図１〜図３に示すように、端子台５と、点灯装置部６と、設置部７と、を有している。
【００２４】
端子台５は、商用電源に接続された電線（図示せず）が接続され、商用電源から電力が供給される端子を有するものである。点灯装置部６は、略直方体状を成し、内部に電源基板が設けられている。電源基板には、光源ユニット１０に接続された電線９が接続されている。点灯装置部６は、端子台５から供給された電力を変換し、電線９を介して光源ユニット１０に電力を供給するものである。点灯装置部６は、設置部７に取り付けられるカバー材７３によって保護されている。電線９は、支持板８の上面に載置され、結束バンド等の固定部材９０で固定されている。
【００２５】
設置部７は、略長方形状の鋼板から成り、上面に端子台５と点灯装置部６とが設置されると共に、支持板８に連結するものである。設置部７は、端子台５と点灯装置部６を載置させる取付部７０と、取付部７０の長手方向の一端部から外方へ延伸させた第１脚部７１と、取付部７０の長手方向の他端部から灯具１へ向かって延伸させた第２脚部７２と、を有している。第１脚部７１及び第２脚部７２は、天井裏等に載置される部分である。
【００２６】
第１脚部７１は、取付部７０の一端部から外方へ延伸させた第１傾斜面部７１ａと、第１傾斜面部７１ａから更に外方へ向かって延伸させた第１平面部７１ｂと、を有する。第２脚部７２は、取付部７０の他端部から下方に向かって突き出すＬ字状の屈曲面部７２ａと、屈曲面部７２ａから灯具１へ向かって延伸され、取付部７０の上面よりも上方となる位置まで傾斜させた第２傾斜面部７２ｂと、第２傾斜面部７２ｂから更に灯具１へ向かって延伸させた第２平面部７２ｃと、を有する。第２平面部７２ｃには、支持板８を取り付けるための連結孔７４が形成されている。また、第２平面部７２ｃには、支持板８の動きを規制する凸状の回転規制片７５が間隔をあけて２つ設けられている。
【００２７】
支持板８は、図１〜図３に示すように、弾性を有する帯状の板材を折り曲げて形成された構成である。支持板８の材質は、一例としてステンレスである。支持板８は、取付ばね３よりもばね定数が小さい構成とされ、取付ばね３よりも大きく撓むものである。なお、支持板８は、取付ばね３よりも板厚が薄い構成とされている。支持板８の板厚は、取付ばね３の厚さをｔ＝０．５ｍｍとすると、ｔの約１／３であるｔ＝０．１５ｍｍ程度である。支持板８のばね定数は、例えばｋ＝０．５〜０．６である。支持板８のばね定数は、取付ばね３よりも板厚を薄くすることで、取付ばね３のばね定数よりも小さく設定することができる。但し、支持板８は、取付ばね３よりもばね定数が小さければ良く、必ずしも取付ばね３よりも板厚を薄くする必要はない。また、支持板８と取付ばね３とは、異なる材質で構成してもよい。異なる材質とは、例えば支持板８がステンレス鋼材（ＳＵＳ材）であり、取付ばね３が炭素工具鋼鋼材（ＳＫ材）である。このようにすることで、支持板８の形状及び板厚に関わらず、支持板８を取付ばね３よりも大きく撓ませることが可能となる。
【００２８】
支持板８は、取付ばね３に連結される基端部８１と、第２脚部７２に連結される先端部８２と、を有している。基端部８１と先端部８２は、斜面部８０の両端を折り曲げて形成されている。基端部８１には、取付ばね３に連結するための連結孔８１ａが形成されている。また、先端部８２には、第２脚部７２に連結するための連結孔８２ａが形成されている。斜面部８０には、電線９を固定する固定部材９０を取り付けるための貫通孔８０ａが形成されている。
【００２９】
支持板８の基端部８１と取付ばね３は、各連結孔８１ａ及び３ａに共通に通した樹脂製のリベット８３で回動自在に連結されている。支持板８の基端部８１と取付ばね３との間には、樹脂製のワッシャー８３ａが設けられている。ワッシャー８３ａを設けることで、支持板８と取付ばね３との間に生じる摩擦を抑制することができ、回動しやすくなるからである。
【００３０】
また、支持板８の先端部８２と第２脚部７２とは、各連結孔８２ａ及び７４に共通に通した樹脂製のリベット８４で回動自在に連結されている。支持板８の先端部８２と第２平面部７２ｃとの間にも、樹脂製のワッシャー８４ａが設けられている。
【００３１】
図５は、本発明の実施の形態に係る照明器具の支持板を回動させた状態を示した平面図である。図６は、本発明の実施の形態に係る照明器具の支持板を回動させた異なる状態を示した平面図である。図５に示すように、照明器具１００は、リベット８４により、支持板８に対して点灯装置４を回動させることができる。つまり、照明器具１００は、天井裏に存在するダクト又は梁等の障害物に点灯装置４が衝突しても、障害物を回避しながら点灯装置４を押し込むことができるので、灯具１及び取付ばね３に作用する応力を効果的に抑制することができる。なお、支持板８は、第２平面部７２ｃに設けられた回転規制片７５によって回転位置が規制される。
【００３２】
また、図６に示すように、照明器具１００は、リベット８３により、支持板８に対して灯具１を回動させることができる。照明器具１００は、点灯装置４と共に灯具１を回動させることによって、全長を小さくしてコンパクトにすることができる。よって、照明器具１００は、小さな梱包箱に梱包して運搬できるので、運搬効率を高めることができる。なお、この照明器具１００では、支持板８の上面に載置させた電線９が固定部材９０によって固定されているので、点灯装置４又は灯具１が回動しても、電線９が撓んだり位置がずれたりすることがない。よって、照明器具１００は、点灯装置４を天井裏に設置する際、又は梱包時或いは運搬時に、電線が障害物に引っ掛かったり絡まったりする事態を防ぐことができる。
【００３３】
なお、図示例では、取付ばね３及び点灯装置４が支持板８にそれぞれ回動自在に連結された構成を示したが、取付ばね３及び点灯装置４のうちいずれか一方が支持板８に回動自在に連結された構成でもよい。また、取付ばね３及び点灯装置４のいずれも支持板８に対して回動することなく固定された構成でもよい。
【００３４】
本実施の形態に係る照明器具１００は、光を照射する灯具１と、灯具１を保持する枠部材２と、板材を湾曲させて形成され、枠部材２に取り付けられて外方へ向かって突き出す取付ばね３と、灯具１に電力を供給する点灯装置４と、弾性を有する帯状の板材から成り、一端が取付ばね３に連結され、他端が点灯装置４に連結された支持板８と、を備えている。支持板８は、取付ばね３よりもばね定数が小さい構成とされ、取付ばね３よりも大きく撓むものである。よって、照明器具１００は、点灯装置４を天井等に形成された埋込穴２１０から挿入し、天井裏に押し込んで設置する場合に、天井裏に存在する障害物に点灯装置４が衝突して移動が遮られたまま押し込まれても、支持板８が取付ばね３よりも大きく撓むので、灯具１及び取付ばね３に作用する応力を抑制でき、灯具１を安定させて取り付けることができる。
【００３５】
なお、本実施の形態に係る照明器具１００では、支持板８の板厚を取付ばね３よりも薄くすることで、効果的に支持板８を取付ばね３よりも大きく撓ませることができる。また、本実施の形態に係る照明器具１００では、支持板８と取付ばね３とを異なる材質で構成することで、形状及び板厚等に関わらず、支持板８を取付ばね３よりも大きく撓ませることが可能となる。
【００３６】
また、本実施の形態に係る照明器具１００は、取付ばね３及び点灯装置４のうち少なくとも一方が、支持板８に回動自在に連結されている。つまり、照明器具１００は、天井裏に存在するダクト又は梁等の障害物に点灯装置４が衝突しても、障害物を回避しながら点灯装置４を押し込むことができるので、灯具１及び取付ばね３に作用する応力を効果的に抑制することができる。また、照明器具１００は、全長を小さくしてコンパクトにすることができるので、小さな梱包箱に梱包して運搬することができ、運搬効率を高めることができる。
【００３７】
また、本実施の形態に係る照明器具１００は、点灯装置４から灯具１に電力を供給するための電線９を有している。電線９は、支持板８の上面に載置され、固定部材９０で固定されている。よって、照明器具１００は、点灯装置４又は灯具１が回動しても、電線９が撓んだり位置がずれたりすることがないので、点灯装置４を天井裏に設置する際、又は梱包時或いは運搬時に、電線が障害物に引っ掛かったり絡まったりする事態を防ぐことができる。
【００３８】
以上に本発明を実施の形態に基づいて説明したが、本発明は上述した実施の形態の構成に限定されるものではない。例えば、照明器具１００は、天井以外の被取付部に取り付けてもよい。また、図示した照明器具１００は、一例であって、他の構成要素を含んでもよい。要するに、本発明は、その技術的思想を逸脱しない範囲において、当業者が通常に行う設計変更及び応用のバリエーションの範囲を含むものである。
【符号の説明】
【００３９】
１  灯具、２  枠部材、３  取付ばね、３ａ  連結孔、４  点灯装置、５  端子台、６  点灯装置部、７  設置部、８  支持板、９  電線、１０  光源ユニット、１０ａ  発光基板、１０ｂ  ソケット、１１  配光制御部、１１ａ  フランジ部、１２  光源ホルダ、１３  ヒートシンク、１３ａ  フィン、２０  第１枠部材、２０ａ  フランジ部、２０ｂ  取付溝、２１  第２枠部材、２１ａ  連結部材、７０  取付部、７１  第１脚部、７１ａ  第１傾斜面部、７１ｂ  第１平面部、７２  第２脚部、７２ａ  屈曲面部、７２ｂ  第２傾斜面部、７２ｃ  第２平面部、７３  カバー材、７４  連結孔、７５  回転規制片、８０  斜面部、８０ａ  貫通孔、８１  基端部、８１ａ  連結孔、８２  先端部、８２ａ  連結孔、８３  リベット、８３ａ  ワッシャー、８４  リベット、８４ａ  ワッシャー、９０  固定部材、１００  照明器具、１２０  ホルダ本体部、１２０ａ  蓋部、１２０ｂ  電線孔、１２０ｃ  溝部、１２０ｄ  係止凹部、１２０ｅ  ホルダ連結部、１２１  ホルダ枠部、１２１ａ  ホルダ枠側受部、１２１ｂ  ホルダ枠凸部、２００  天井、２１０  埋込穴。
【図１】
2020061215.tif 000003
【図２】
2020061215.tif 000004
【図３】
2020061215.tif 000005
【図４】
2020061215.tif 000006
【図５】
2020061215.tif 000007
【図６】
2020061215.tif 000008